(57)【要約】  【課題】  セル発光型の映像表示装置において、省電力と併せ、輝度むらや動作マージンを改善する。  【解決手段】  映像表示用パネル内で互いにマトリックス状に配され、マトリックスの交点位置の対向電極間に表示用のセルを形成する第１、第２の電極導体のそれぞれを、給電端から相対的に遠い交点位置における単位長当りの電気抵抗を、近い交点位置における単位長当りの電気抵抗よりも低くした構成とする。【選択図】  図２
2006201495.tif 000002
【特許請求の範囲】
【請求項１】
マトリックス状に配された第１、第２の電極導体の交点位置の対向電極間に表示用のセルが形成される映像表示用パネルであって、
上記第１、第２の電極導体はそれぞれ、給電端から相対的に遠い交点位置における単位長当りの電気抵抗を、近い交点位置における単位長当りの電気抵抗よりも低くされた構成であることを特徴とする映像表示用パネル。
【請求項２】
上記第１、第２の電極導体はそれぞれ、上記遠い交点位置における導体断面積が、近い交点位置における導体面積よりも広くされた構成である請求項１に記載の映像表示用パネル。
【請求項３】
上記第１、第２の電極導体はそれぞれ、導体断面積が、上記給電端から上記交点位置までの距離に対応して増大する構成である請求項１または請求項２に記載の映像表示用パネル。
【請求項４】
上記第１、第２の電極導体はそれぞれ、略平行な複数の導体から成り、該複数の導体のうち、上記給電端から遠い位置の交点を形成する導体の方が、近い位置の交点を形成する導体よりも、単位長当りの電気抵抗を低くされている請求項１に記載の映像表示用パネル。
【請求項５】
マトリックス状に配された第１、第２の電極導体の交点位置の対向電極間に表示用のセルが形成される映像表示用パネルであって、
上記第１を構成する略平行な複数の導体のそれぞれと、上記第２の電極導体を構成する略平行な複数の導体のそれぞれとに抵抗体が接続され、該抵抗体の電気抵抗値は、上記複数の導体のうち、給電端から相対的に遠い位置の交点を形成する導体に接続された抵抗体の方が、近い位置の交点を形成する導体に接続された抵抗体よりも低くされている構成を特徴とする映像表示用パネル。
【請求項６】
表示用のセルの発光により映像表示を行う映像表示装置であって、
マトリックス状に配された第１、第２の電極導体の交点位置の対向電極間にセルが形成され、該両電極導体のそれぞれが、給電端から相対的に遠い交点位置における単位長当りの電気抵抗が、近い交点位置における単位長当りの電気抵抗よりも低くされた構成の映像表示用パネルと、
入力された映像信号のフィールドデータを蓄える記憶手段と、
上記記憶手段から供給されるフィールドデータのデータ処理を行い、上記映像表示用パネルを駆動する駆動信号を形成して出力する駆動回路と、
上記記憶手段及び上記駆動回路を制御する制御手段と、
を備え、上記駆動信号に基づき上記セルを発光させ、上記映像表示用パネルに映像表示を行う構成としたことを特徴とする映像表示装置。
【請求項７】
表示用のセルの発光により映像表示を行う映像表示装置であって、
それぞれが略平行な複数の導体から成り、互いにマトリックス状に配され、マトリックスの交点位置の対向電極間にセルを形成する第１、第２の電極導体と、
上記第１、第２の電極導体のそれぞれに直列に接続され、その電気抵抗値が、該電極導体の給電端から相対的に遠い位置の交点を形成する導体に接続されたものの方が、近い位置の交点を形成する導体に接続されたものよりも低くされた抵抗体と、
入力された映像信号のフィールドデータを蓄える記憶手段と、
上記記憶手段から供給されるフィールドデータのデータ処理を行い、上記第１、第２の電極導体のそれぞれに供給する上記セルを駆動するための駆動信号を形成して出力する駆動回路と、
上記記憶手段及び上記駆動回路を制御する制御手段と、
を備え、上記駆動信号に基づき上記セルを発光させて映像表示を行う構成としたことを特徴とする映像表示装置。
【請求項８】
上記駆動回路は、上記第１、第２の電極導体に対し、該両電極導体それぞれの両端に設けられた給電端から上記駆動信号を供給する構成である請求項６または請求項７に記載の映像表示装置。
【請求項９】
表示用のセルの発光により映像表示を行う映像表示装置であって、
マトリックス状に配された第１、第２の電極導体の交点位置における対向電極間にセルが形成され、かつ該両電極導体それぞれの両端に給電端が設けられた映像表示用パネルと、
入力された映像信号に基づき、上記映像表示用パネルを駆動する駆動信号を形成し、上記映像表示用パネルの第１、第２の電極導体それぞれに対し、それぞれの両端の上記給電端から供給する駆動回路と、
上記駆動回路を制御する制御手段と、
を備え、上記駆動信号に基づき上記セルを発光させ、上記映像表示用パネルに映像表示を行う構成としたことを特徴とする映像表示装置。
【発明の詳細な説明】
【技術分野】
【０００１】
本発明は、対向放電型プラズマディスプレイ装置等の対向電極型の映像表示装置に係り、特に、表示用セルの動作マージンを改善する技術に関する。
【背景技術】
【０００２】
プラズマディスプレイ装置等においては、対向放電型（対向電極型）のものが面放電型のものよりも、配線容量や誘電体容量を小さくすることができるため、放電電流を少なくすることができ、省電力化の点で有利であるとされる。
本発明に関連した従来技術としては、例えば、特開２００１−１０１９７３号公報（特許文献１）や特開平１０−２１４０５６号公報（特許文献２）に記載されたものがある。特開２００１−１０１９７３号公報には、対向放電型（対向電極型）のプラズマディスプレイパネルとして、表示画面の輝度を向上させるために、対向電極間に形成される放電室（セル）内の背面基板側に第１蛍光層、前面基板側に第２蛍光層を設け、蛍光層の表面積を増大させるとした構成が記載され、特開平１０−２１４０５６号公報には、プラズマディスプレイ装置において電極抵抗の影響を抑えるための技術として、面放電型配列のＸ電極、Ｙ電極をそれぞれ、それぞれの維持駆動回路により、パネルの両側から同時に維持駆動するとした構成が記載されている。
【０００３】
【特許文献１】特開２００１−１０１９７３号公報
【特許文献２】特開平１０−２１４０５６号公報
【発明の開示】
【発明が解決しようとする課題】
【０００４】
例えば、上記特開２００１−１０１９７３号公報記載の従来の対向電極型構成では、放電電流は電極導体を経由して対向電極間のセルに供給されるため、該電極導体の電気抵抗による電圧降下が大きくなり、セルの放電性能に影響する。電極導体の長さはセル毎に異なるため、該電圧降下はセル毎に異なった値となり、特に、給電端に近いセルと遠いセルでは電圧降下差が大きくなる。このため、セル毎に駆動電圧及び放電電流が異なり、この結果、これがセル毎の輝度むらとなって映像の画質を低下させたり、装置が正常にアドレス動作や表示動作を行える領域の大きさすなわち動作マージンを狭めたりする原因となる。また、電極導体は、装置の大画面化に伴っては長くなり、高精細化に伴っては細くなるため、大画面装置や高精細装置においては該電圧降下は増大し、画質や動作マージンへの影響はさらに大きくなる。例えば、電極導体として、銀または銅の金属化合物を用いた抵抗率の低い材料から成るバス電極を併用したとしても、電極導体１本当りの電気抵抗は数百Ω程度にもなってしまい、放電電流による電圧降下もこれに対応して大きな値となる。また、特開平１０−２１４０５６号公報に記載の技術は、単に、パネルの両側から面放電型配列のＸ電極、Ｙ電極それぞれを同時に維持駆動するとしたものであり、省電力化についての配慮はない。
【０００５】
図６は、対向型電極間に形成されるセルの構成（（ｂ））とその等価回路（（ｂ））、図７は、セルに印加される駆動電圧、電極導体による電圧降下及び放電電流の説明図、図８は、セル位置と電極導体による電圧降下の関係を示す図である。図６において、４０、Ｘ１はそれぞれ第１の電極導体、５０、Ｙ１〜Ｙ４はそれぞれ第２の電極導体、３０、７０はそれぞれガラス基板、６０ａ、６０ｂはそれぞれ壁部、８０は蛍光体、９０及びＡ１１〜Ａ１４は、第１、第２の電極導体の対向電極間に形成されるセル、ｒｘ１〜ｒｘ４は第１の電極導体Ｘ１の電気抵抗、Ｃｘ１１〜Ｃｘ４１は、第１、第２の電極導体間に配された誘電体層（図示なし）の静電容量、Ｃｘ１２〜Ｃｘ４２はそれぞれ各セルＡ１１〜Ａ１４の対向電極間の静電容量、Ｓｘ１〜Ｓｘ４は放電を示すスイッチ、ｉｘ１〜ｉｘ４は、第１の電極導体Ｘ１中を流れる電流、ｉｘ１ｃ〜ｉｘ４ｃは、放電時、第１の電極導体Ｘ１側から分流し、セル空間を通って第２の電極導Ｙ１〜Ｙ４に流れる電流、２５０ｘ１は、第１の電極導体Ｘ１の給電端である。また、図７において、Ｖｓは駆動電圧（サステイン電圧）、ｔｃは放電時間、ｉは放電電流、△Ｖｓは、駆動電圧（サステイン電圧）の電圧降下分である。さらに、図８において、Ａ１１〜Ａ４４はセル、２５０ｘ１〜２５０ｘ４は、第１の電極導体Ｘ１〜Ｘ４の給電端、２５０ｙ１〜２５０ｙ４は、第２の電極導体Ｙ１〜Ｙ４の給電端である。
【０００６】
第１、第２の電極導体の給電端に駆動電圧Ｖｓが印加され、アドレスされたセルで放電が発生し、第１、第２の電極導体及び放電セルに放電電流ｉが流れ、該放電電流ｉにより、第１、第２の電極導体上で電圧降下△Ｖｓが生じる（図７）。例えば、図８のセルＡ１１〜Ａ４４が時間的に重なって放電した場合には、図６（ｂ）に示すように、第１の電極導体Ｘ１に電流ｉｘ１〜ｉｘ４が流れ、セル空間を通って第２の電極導Ｙ１〜Ｙ４にｉｘ１ｃ〜ｉｘ４ｃが流れる。電流ｉｘ１〜ｉｘ４が流れることで、第１の電極導体Ｘ１の各位置には上記電圧降下△Ｖｓが生じる。すなわち、セルＡ１１の位置では、△Ｖｓ１１＝ｒｘ１・ｉｘ１の電圧降下が発生し、セルＡ１２の位置では、△Ｖｓ１２＝ｒｘ１・ｉｘ１＋ｒｘ２・ｉｘ２の電圧降下が発生し、セルＡ１３の位置では、△Ｖｓ１３＝ｒｘ１・ｉｘ１＋ｒｘ２・ｉｘ２＋ｒｘ３・ｉｘ３の電圧降下が発生し、セルＡ１４の位置では、△Ｖｓ１４＝ｒｘ１・ｉｘ１＋ｒｘ２・ｉｘ２＋ｒｘ３・ｉｘ３＋ｒｘ４・ｉｘ４の電圧降下が発生し、この結果、第１の電極導体Ｘ１上では、給電端２５０ｘ１から最も近いセルＡ１１の位置での電圧降下が最小となり、給電端２５０ｘ１から最も遠いセルＡ１４の位置での電圧降下が最大となる。他の第１、第２の電極導体上においてもこれと同様である。図８の全セルＡ１１〜Ａ４４では、第１の電極導体Ｘ１〜Ｘ４の給電端２５０ｘ１〜２５０ｘ４と、第２の電極導体Ｙ１〜Ｙ４の給電端２５０ｙ１〜２５０ｙ４とに最も近いセルＡ１１の位置での電圧降下が最小となり、両給電端２５０ｘ１〜２５０ｘ４、２５０ｙ１〜２５０ｙ４から最も遠いセルＡ４４の位置での電圧降下が最大となる。途中の他のセルの位置ではそれぞれ、該位置までの電極導体の電気抵抗とそこを流れる電流との積に対応した電圧降下となる。
上記電圧降下は、電極導体の電気抵抗を主要因として発生し、セル毎の駆動電圧及び放電電流を異ならせ、セル毎の輝度むらを発生させて画質を劣化させたり、装置の動作マージンを狭めて装置動作を不安定にしたりする原因となる。
【０００７】
本発明の課題点は、上記従来技術の状況に鑑み、セル発光型の映像表示装置のうち、省電力化の点で有利な対向電極型の映像表示装置において、電極導体の電圧降下を減らし、セル間の駆動電圧の差を抑え、輝度むらの増大や動作マージンの低下を抑えられるようにすることである。
本発明の目的は、上記課題点を解決し、省電力で表示映像の画質を確保できるセル発光型の映像表示技術を提供することにある。
【課題を解決するための手段】
【０００８】
上記課題点を解決するために、本発明では、セル発光型の映像表示技術として、（１）映像表示用パネル内で互いにマトリックス状に配され、マトリックスの交点位置の対向電極間に表示用のセルを形成する第１、第２の電極導体のそれぞれを、給電端から相対的に遠い交点位置における単位長当りの電気抵抗を、近い交点位置における単位長当りの電気抵抗よりも低くした構成とする。また、（２）互いにマトリックス状に配され、マトリックスの交点位置の対向電極間にセルを形成する第１、第２の電極導体のそれぞれに直列に抵抗体を接続し、該抵抗体は、その電気抵抗値が、該電極導体の給電端から相対的に遠い位置の交点を形成する導体に接続されるものの方が、近い位置の交点を形成する導体に接続されるものよりも低くなるようにする。（３）互いにマトリックス状に配され、マトリックスの交点位置の対向電極間にセルを形成する第１、第２の電極導体のそれぞれに対し、駆動信号を、該両電極導体それぞれの両端の給電端から供給する。
【発明の効果】
【０００９】
本発明によれば、セル発光型の映像表示装置において、電極導体の電圧降下の、セルの発光性能に与える影響を抑え、輝度むらの増大や動作マージンの低下を抑えることが可能となる。この結果、装置の省電力化と併せ、映像画質の確保が可能となる。
【発明を実施するための最良の形態】
【００１０】
以下、本発明の実施例につき、図面を用いて説明する。
図１及び図２は、本発明の第１の実施例の説明図である。図１は、本発明の第１の実施例としての映像表示装置の構成例図、図２は、図１の装置に用いる映像表示用パネルの構成例図である。
【００１１】
図１において、１は、映像表示装置としてのプラズマディスプレイ装置、２は、映像表示用パネルとしてのプラズマディスプレイパネル、３は、映像信号のフィールドデータのデータ処理を行い、上記映像表示用パネル２を駆動するための駆動信号を形成して出力する駆動回路、３ａは、駆動回路３中でフィールドデータのデータ処理を行うデータ処理回路、３ｂは、駆動回路３中で、データ処理回路３ａで形成されたサブフィールドデータを蓄えるサブフィールドメモリ、３ｃは、駆動回路３中で、サブフィールドメモリ３ｂから読み出されたサブフィールドデータに基づき、映像表示用パネル２を駆動する駆動信号を形成してプラズマディスプレイパネル２側に出力するＰＤＰドライバ、４は、入力された映像信号の赤（Ｒ）、緑（Ｇ）、青（Ｂ）各色の輝度レベルを示す画素単位のフィールドデータを蓄える記憶手段としてのフィールドメモリ、５は、上記フィールドメモリ４及び上記駆動回路３を制御する制御手段としてのＣＰＵ（Ｃｅｎｔｒａｌ  Ｐｒｏｃｅｓｓｉｎｇ  Ｕｎｉｔ）、６は、ＣＰＵ５が制御のために用いる制御データを記憶するデータメモリ、７は、映像信号が入力される入力端子である。駆動回路３中の上記データ処理回路３ａは、１フィールドを所定の数のサブフィールドに分割し、フィールドメモリ４から入力されたフィールドデータを、各サブフィールドの発光、非発光を表すサブフィールドデータに変換し、該サブフィールドデータを上記フィールドデータに対応するものとして出力する。ＣＰＵ５は、フィールドメモリ４、データメモリ６、データ処理回路３ａ及びサブフィールドメモリ３ｂを制御する。
【００１２】
上記構成において、入力端子７から入力された映像信号は、フィールドメモリ４にフィールドデータとして蓄えられた後、ＣＰＵ５により読み出されてデータ処理回路３ａに入力される。データ処理回路３ａでは、ＣＰＵ５の制御によりフィールドデータが所定のサブフィールドデータに変換されて出力され、サブフィールドメモリ３ｂに蓄えられる。さらに、サブフィールドデータは、ＣＰＵ５の制御によりサブフィールドメモリ３ｂから読み出されて、ＰＤＰドライバ３ｃに入力される。ＰＤＰドライバ３ｃでは、サブフィールドデータに基づき、プラズマディスプレイパネル２を駆動する駆動信号が形成され出力される。プラズマディスプレイパネル２では、マトリックス状に配された第１の電極導体としてのＸ電極導体と、第２の電極導体としてのＹ電極導体とにそれぞれ、上記駆動信号が入力され、対向電極間のアドレスされた表示用のセルが発光され、上記映像信号に対応した映像表示が行われる。
【００１３】
なお、以下の説明中で用いる上記図１の構成における構成要素には、図１の場合と同じ符号を付して用いる。
図２は、プラズマディスプレイパネル２の第１の構成例図である。ただし、本図２の構成では、表示ライン数やセル数を減らした簡略な構成としている上、誘電体、保護膜、透明電極、隔壁、蛍光体等の図示も省いてある。
【００１４】
図２において、３は駆動回路、２１ｘ１〜２１ｘ８はそれぞれ、第１の電極導体としてのＸ電極導体、２５ｘ１〜２５ｘ８はそれぞれ、Ｘ電極導体２１ｘ１〜２１ｘ８それぞれの給電端（給電端子）、２１ｙ１〜２１ｙ８はそれぞれ、第２の電極導体としてのＹ電極導体、２５ｙ１〜２５ｙ８はそれぞれ、Ｙ電極導体２１ｙ１〜２１ｙ８それぞれの給電端（給電端子）、２２は、ガラス基板から成る前面板、２３は、同じくガラス基板から成る背面板である。Ｘ電極導体２１ｘ１〜２１ｘ８のそれぞれと、Ｙ電極導体２１ｙ１〜２１ｙ８のそれぞれとはともに、それぞれの給電端から遠ざかるにつれて次第に導体幅が増え、次第に断面積が増大する構成とされ、かつ、該Ｘ電極導体２１ｘ１〜２１ｘ８、該Ｙ電極導体２１ｙ１〜２１ｙ８とも、導体幅が広く断面積が大きいもの（Ｘ電極導体では導体２１ｘ８、Ｙ電極導体では導体２１ｙ８）を給電端から遠い位置に配し、導体幅が狭く断面積が小さいもの（Ｘ電極導体では導体２１ｘ１、Ｙ電極導体では導体２１ｙ１）を給電端から近い位置に配してある。
【００１５】
上記前面板２２と上記背面板２３は互いに対向面を近付けて配され、前面板２２の対向面部には上記Ｙ電極導体２１ｙ１〜２１ｙ８が配され、背面板２３の対向面部には上記Ｘ電極導体２１ｘ１〜２１ｘ８が配されている。Ｘ電極導体２１ｘ１〜２１ｘ８とＹ電極導体２１ｙ１〜２１ｙ８との交点位置または該交点位置の近傍の対向電極間には映像表示用の画素を形成するセルが形成される。図２中、例えば、Ａ１１は、Ｘ電極導体の給電端２５ｘ１〜２５ｘ８からも、またＹ電極導体の給電端２５ｙ１〜２５ｙ８からも最も近いセルであり、Ｘ電極導体２１ｘ１とＹ電極導体２１ｙ１との交点位置の対向電極間に形成され、Ａ１８は、Ｘ電極導体の給電端２５ｘ１〜２５ｘ８からは最も遠く、Ｙ電極導体の給電端２５ｙ１〜２５ｙ８からは最も近いセルであって、Ｘ電極導体２１ｘ１とＹ電極導体２１ｙ８との交点位置の対向電極間に形成され、Ａ８１は、Ｘ電極導体の給電端２５ｘ１〜２５ｘ８からは最も近く、Ｙ電極導体の給電端２５ｙ１〜２５ｙ８からは最も遠いセルであって、Ｘ電極導体２１ｘ８とＹ電極導体２１ｙ１と交点位置の対向電極間に形成され、Ａ８８は、Ｘ電極導体の給電端２５ｘ１〜２５ｘ８からも、またＹ電極導体の給電端２５ｙ１〜２５ｙ８からも最も遠いセルであって、Ｘ電極導体２１ｘ８とＹ電極導体２１ｙ８と交点位置の対向電極間に形成される。
【００１６】
上記セルＡ１１の位置では、Ｘ電極導体２１ｘ１も、Ｙ電極導体２１ｙ１もともに、導体幅が狭く断面積の小さい、すなわちＸ電極導体２１ｘ１の単位長当りの電気抵抗も、Ｙ電極導体２１ｙ１の単位長当りの電気抵抗もともに高い。セルＡ１８の位置では、Ｘ電極導体２１ｘ１は導体幅が広く断面積が大きく、Ｙ電極導体２１ｙ１は導体幅が狭く断面積が小さい、すなわちＸ電極導体２１ｘ１の単位長当りの電気抵抗は低く、Ｙ電極導体２１ｙ１の単位長当りの電気抵抗は高い。セルＡ８１の位置では、Ｘ電極導体２１ｘ１は導体幅が狭く断面積が小さく、Ｙ電極導体２１ｙ１は導体幅が広く断面積が大きい、すなわちＸ電極導体２１ｘ１の単位長当りの電気抵抗は高く、Ｙ電極導体２１ｙ１の単位長当りの電気抵抗は低い。また、セルＡ８８の位置では、Ｘ電極導体２１ｘ１も、Ｙ電極導体２１ｙ１もともに、導体幅が広く断面積が大きい、すなわちＸ電極導体２１ｘ１の単位長当りの電気抵抗も、Ｙ電極導体２１ｙ１の単位長当りの電気抵抗もともに低い。他のそれぞれのセルの位置では、Ｘ電極導体、Ｙ電極導体それぞれの断面積に対応した電気抵抗となる。
【００１７】
上記Ｘ電極導体２１ｘ１〜２１ｘ８及びＹ電極導体２１ｙ１〜２１ｙ８の構成は、例えばＸ電極導体の各導体の断面積が一様すなわち給電端からの位置に対応した断面積の変化がない場合に比べ、セル位置相互間におけるＸ電極導体、Ｙ電極導体それぞれの単位長当りの電気抵抗の差を小さくする。電気抵抗の差が小さいことは、セル放電時における放電電流によるＸ電極導体、Ｙ電極導体それぞれの電圧降下を低減化する。すなわち、上記構成のプラズマディスプレイパネル２は、駆動回路３からの駆動信号が入力されたとき、セル放電時におけるセル位置相互間における電圧降下の差を軽減化し、各セル間の駆動電圧差を縮減して、輝度むらの発生や増大を抑えかつ動作マージンの低下を抑えた状態での映像表示を行う。
【００１８】
上記第１の実施例によれば、電極導体の電圧降下による輝度むらの増大や動作マージンの低下を抑えることができ、対向電極型構成による装置の省電力化と併せ、安定動作と映像画質の確保が可能となる。
【００１９】
なお、上記図２の構成では、Ｘ電極導体２１ｘ１〜２１ｘ８と、Ｙ電極導体２１ｙ１〜２１ｙ８はともに、それぞれの給電端から遠ざかるにつれて次第に導体幅が増えることで次第に断面積が増大する構成としたが、この他、次第に導体厚が増えることで次第に断面積が増大する構成としてもよいし、または次第に導体幅及び導体厚が増えることで次第に断面積が増大する構成としてもよい。さらに、電極導体の断面積の増大の仕方は給電端からの距離に比例しなくともよい。また、上記図２の構成では、Ｘ電極導体２１ｘ１〜２１ｘ８と、Ｙ電極導体２１ｙ１〜２１ｙ８のそれぞれで、電気抵抗を導体の長さ方向位置に対応して変化させる構成としたが、本発明はこれに限定されず、例えば、複数の電極導体の組合わせを単位として、給電端から遠い位置ほど単位長当りの抵抗値が低くなるように電気抵抗を変化させるようにしてもよい。
【００２０】
図３は、本発明の第２の実施例の説明図で、プラズマディスプレイパネル２の第２の構成例を示す図である。本図３の構成でも、上記図２の場合と同様、表示ライン数やセル数を減らした簡略な構成としている上、誘電体、保護膜、透明電極、隔壁、蛍光体等の図示も省いてある。本図３の構成のプラズマディスプレイパネル２も、上記図１のような映像表示装置としてのプラズマディスプレイ装置を構成する。
【００２１】
図３において、３は駆動回路、２１ｘ１'〜２１ｘ８'はそれぞれ、第１の電極導体としてのＸ電極導体、２５ｘ１〜２５ｘ８はそれぞれ、Ｘ電極導体２１ｘ１'〜２１ｘ８'それぞれの給電端（給電端子）、２１ｙ１'〜２１ｙ８'はそれぞれ、第２の電極導体としてのＹ電極導体、２５ｙ１〜２５ｙ８はそれぞれ、Ｙ電極導体２１ｙ１'〜２１ｙ８'それぞれの給電端（給電端子）である。他は上記図２の場合と同様である。Ｘ電極導体２１ｘ１'〜２１ｘ８'のそれぞれと、Ｙ電極導体２１ｙ１'〜２１ｙ８'のそれぞれはともに、１本の導体中では導体幅が一様であって断面積が一様であり、導体幅が広く断面積が大きい導体（Ｘ電極導体では導体２１ｘ８'、Ｙ電極導体では導体２１ｙ８'）を給電端から遠い位置に配し、導体幅が狭く断面積が小さいもの（Ｘ電極導体では導体２１ｘ１'、Ｙ電極導体では導体２１ｙ１'）を給電端から近い位置に配してある。
【００２２】
前面板２２と背面板２３は互いに対向面を近付けて配され、前面板２２の対向面部には上記Ｙ電極導体２１ｙ１'〜２１ｙ８'が配され、背面板２３の対向面部には上記Ｘ電極導体２１ｘ１'〜２１ｘ８'が配されている。Ｘ電極導体２１ｘ１'〜２１ｘ８'とＹ電極導体２１ｙ１'〜２１ｙ８'との交点位置または該交点位置の近傍の対向電極間にはセルが形成される。図３中、Ａ１１は、Ｘ電極導体の給電端２５ｘ１〜２５ｘ８からも、またＹ電極導体の給電端２５ｙ１〜２５ｙ８からも最も近いセルであり、Ｘ電極導体２１ｘ１'とＹ電極導体２１ｙ１'との交点位置の対向電極間に形成され、Ａ１８は、Ｘ電極導体の給電端２５ｘ１〜２５ｘ８からは最も遠く、Ｙ電極導体の給電端２５ｙ１〜２５ｙ８からは最も近いセルであって、Ｘ電極導体２１ｘ１'とＹ電極導体２１ｙ８'との交点位置の対向電極間に形成され、Ａ８１は、Ｘ電極導体の給電端２５ｘ１〜２５ｘ８からは最も近く、Ｙ電極導体の給電端２５ｙ１〜２５ｙ８からは最も遠いセルであって、Ｘ電極導体２１ｘ８'とＹ電極導体２１ｙ１'との交点位置の対向電極間に形成され、Ａ８８は、Ｘ電極導体の給電端２５ｘ１〜２５ｘ８からも、またＹ電極導体の給電端２５ｙ１〜２５ｙ８からも最も遠いセルであって、Ｘ電極導体２１ｘ８'とＹ電極導体２１ｙ８'と交点位置の対向電極間に形成される。
【００２３】
上記セルＡ１１の位置では、Ｘ電極導体２１ｘ１'も、Ｙ電極導体２１ｙ１'もともに、導体幅が狭く断面積が小さい、従って、Ｘ電極導体２１ｘ１'の単位長当りの電気抵抗も、Ｙ電極導体２１ｙ１'の単位長当りの電気抵抗もともに高い。セルＡ１８の位置では、Ｘ電極導体２１ｘ１'は導体幅が広く断面積が大きく、Ｙ電極導体２１ｙ１'は導体幅が狭く断面積が小さい、従って、Ｘ電極導体２１ｘ１'の単位長当りの電気抵抗は低く、Ｙ電極導体２１ｙ１'の単位長当りの電気抵抗は高い。セルＡ８１の位置では、Ｘ電極導体２１ｘ１'は導体幅が狭く断面積が小さく、Ｙ電極導体２１ｙ１'は導体幅が広く断面積が大きい、すなわちＸ電極導体２１ｘ１'の単位長当りの電気抵抗は高く、Ｙ電極導体２１ｙ１'の単位長当りの電気抵抗は低い。また、セルＡ８８の位置では、Ｘ電極導体２１ｘ１'も、Ｙ電極導体２１ｙ１'もともに、導体幅が広く断面積が大きい、すなわちＸ電極導体２１ｘ１'の単位長当りの電気抵抗も、Ｙ電極導体２１ｙ１'の単位長当りの電気抵抗もともに低い。他のそれぞれのセルの位置では、Ｘ電極導体、Ｙ電極導体それぞれの断面積に対応した電気抵抗となる。
【００２４】
上記Ｘ電極導体２１ｘ１'〜２１ｘ８'及びＹ電極導体２１ｙ１'〜２１ｙ８'の構成は、例えばＸ電極導体の複数の導体の断面積が一様すなわち給電端からの位置に対応した断面積の変化がない場合に比べ、セル位置相互間におけるＸ電極導体、Ｙ電極導体それぞれの単位長当りの電気抵抗の差を小さくする。電気抵抗の差が小さくなることで、セル放電時における放電電流による電圧降下が低減化される。すなわち、上記構成のプラズマディスプレイパネル２は、駆動回路３から駆動信号が入力されると、セル放電時におけるセル位置相互間における電圧降下の差を軽減化し、各セル間の駆動電圧差を縮減して、輝度むらの発生や増大を抑えかつ動作マージンの低下を抑えた状態での映像表示を行う。
【００２５】
上記第２の実施例によっても、電極導体の電圧降下による輝度むらの増大や動作マージンの低下を抑えることができ、装置の省電力化と併せ、安定動作と映像画質の確保が可能となる。
【００２６】
なお、上記図３の構成では、Ｘ電極導体２１ｘ１'〜２１ｘ８'と、Ｙ電極導体２１ｙ１'〜２１ｙ８'は、給電端から遠い位置に配されるものほど導体幅を大きくして断面積を増大させる構成としたが、この他、導体厚を増すことで断面積を増大させる構成としてもよいし、または導体幅及び導体厚を増すことで断面積が増大させる構成としてもよい。また、上記図３の構成では、Ｘ電極導体２１ｘ１'〜２１ｘ８'と、Ｙ電極導体２１ｙ１'〜２１ｙ８'のそれぞれで、電気抵抗を変化させる構成としたが、本発明はこれに限定されず、例えば、複数の電極導体の組合わせを単位として、電気抵抗を変化させるようにしてもよい。
【００２７】
図４は、本発明の第３の実施例の説明図で、プラズマディスプレイパネル２の第３の構成例を示す図である。本図４の構成でも、上記図２や図３の場合と同様、表示ライン数やセル数を減らした簡略な構成としている上、誘電体、保護膜、透明電極、隔壁、蛍光体等の図示も省いてある。本図４の構成のプラズマディスプレイパネル２も、上記図１のような映像表示装置としてのプラズマディスプレイ装置を構成する。
【００２８】
図４において、２１ｘ１''〜２１ｘ８''はそれぞれ、第１の電極導体としてのＸ電極導体、２５ｘ１〜２５ｘ８はそれぞれ、Ｘ電極導体２１ｘ１''〜２１ｘ８''それぞれの給電端（給電端子）、２１ｙ１''〜２１ｙ８''はそれぞれ、第２の電極導体としてのＹ電極導体、２５ｙ１〜２５ｙ８はそれぞれ、Ｙ電極導体２１ｙ１''〜２１ｙ８''それぞれの給電端（給電端子）、Ｒｘ１〜Ｒｘ８はそれぞれ、Ｘ電極導体２１ｘ１''〜２１ｘ８''に直列に接続される抵抗体、Ｒｙ１〜Ｒｙ８はそれぞれ、Ｙ電極導体２１ｙ１''〜２１ｙ８''に直列に接続される抵抗体である。他は上記図２、図３の場合と同様である。Ｘ電極導体２１ｘ１''〜２１ｘ８''のそれぞれと、Ｙ電極導体２１ｙ１''〜２１ｙ８''のそれぞれはともに、１本の導体中においてもまた複数の導体間においても、導体幅が一様で断面積が略一定であり、給電端から遠い位置にも近い位置にも、略同じ導体幅で略同じ断面積の導体が配される。抵抗体Ｒｘ１〜Ｒｘ８は、抵抗体Ｒｘ１の抵抗値が最も高く、抵抗体Ｒｘ８の抵抗値が最も低い（Ｒｘ１＞Ｒｘ２＞Ｒｘ３＞Ｒｘ４＞Ｒｘ５＞Ｒｘ６＞Ｒｘ７＞Ｒｘ８）。また、抵抗体Ｒｙ１〜Ｒｙ８は、抵抗体Ｒｙ１の抵抗値が最も高く、抵抗体Ｒｙ８の抵抗値が最も低い（Ｒｙ１＞Ｒｙ２＞Ｒｙ３＞Ｒｙ４＞Ｒｙ５＞Ｒｙ６＞Ｒｙ７＞Ｒｙ８）。
【００２９】
図４中、Ａ１１は、Ｘ電極導体の給電端２５ｘ１〜２５ｘ８からも、またＹ電極導体の給電端２５ｙ１〜２５ｙ８からも最も近いセルであり、Ｘ電極導体２１ｘ１''とＹ電極導体２１ｙ１''との交点位置の対向電極間に形成され、Ａ１８は、Ｘ電極導体の給電端２５ｘ１〜２５ｘ８からは最も遠く、Ｙ電極導体の給電端２５ｙ１〜２５ｙ８からは最も近いセルであって、Ｘ電極導体２１ｘ１''とＹ電極導体２１ｙ８''との交点位置の対向電極間に形成され、Ａ８１は、Ｘ電極導体の給電端２５ｘ１〜２５ｘ８からは最も近く、Ｙ電極導体の給電端２５ｙ１〜２５ｙ８からは最も遠いセルであって、Ｘ電極導体２１ｘ８''とＹ電極導体２１ｙ１''との交点位置の対向電極間に形成され、Ａ８８は、Ｘ電極導体の給電端２５ｘ１〜２５ｘ８からも、またＹ電極導体の給電端２５ｙ１〜２５ｙ８からも最も遠いセルであって、Ｘ電極導体２１ｘ８''とＹ電極導体２１ｙ８''と交点位置の対向電極間に形成される。セルＡ１１の位置、セルＡ１８の位置、セルＡ８１の位置、セルＡ８８の位置及びその他のセルの位置におけるＸ電極導体の単位長当りの電気抵抗は略等しくなり、同様に、該位置におけるＹ電極導体の単位長当りの電気抵抗も略等しくなる。
【００３０】
上記Ｘ電極導体２１ｘ１''〜２１ｘ８''及びＹ電極導体２１ｙ１''〜２１ｙ８''のそれぞれにおいて、給電端から遠い位置に配されるものほど、低い電気抵抗の抵抗体が接続される。抵抗体を接続した上記構成は、該抵抗体の電気抵抗とＸ電極導体、Ｙ電極導体それぞれのセル位置までの電気抵抗との和につき、セル位置相互間の差を緩和する。このため、該構成は、駆動回路３から駆動信号が入力されたとき、Ｘ電極導体、Ｙ電極導体それぞれにおける電圧降下の差を縮める。電圧降下の差が縮減されることで、各セル間の駆動電圧差を縮減し、輝度むらの発生や増大を抑え、動作マージンの低下も抑える。
【００３１】
上記第３の実施例によっても、電極導体の電圧降下による輝度むらの増大や動作マージンの低下を抑えることができ、装置の省電力化と併せ、安定動作と映像画質の確保が可能となる。
【００３２】
なお、上記図４の構成では、Ｘ電極導体２１ｘ１''〜２１ｘ８''と、Ｙ電極導体２１ｙ１''〜２１ｙ８''のそれぞれで、接続する抵抗体の電気抵抗を変化させる構成としたが、本発明はこれに限定されず、例えば、複数の電極導体の組合わせを単位として、抵抗体の電気抵抗を変化させるようにしてもよい。
【００３３】
図５は、本発明の第４の実施例の説明図で、映像表示装置としてプラズマディスプレイ装置の他の構成例図である。本実施例は、第１の電極導体、第２の電極導体それぞれの両端に給電端を設け、該両給電端から駆動信号をそれぞれの電極導体の両側から入力する構成とした場合の例である。
【００３４】
図５において、２は、互いにマトリックス状に配されマトリックスの交点位置の対向電極間にセルが形成される第１、第２の電極導体を有するプラズマディスプレイパネル、２１ｘ１''〜２１ｘｎ''は、上記第１の電極導体であるＸ電極導体、２１ｙ１''〜２１ｙｎ''は、上記第２の電極導体であるＹ電極導体、２５ｘａ、２５ｘｂは、Ｘ電極導体２１ｘ１''〜２１ｘｎ''の両側の給電端（給電端子）、２５ｙａ、２５ｙｂは、Ｙ電極導体２１ｙ１''〜２１ｙｎ''の両側の給電端（給電端子）、３ｃｘａは、給電端２５ｘａ側からＸ電極導体２１ｘ１''〜２１ｘｎ''を駆動するＰＤＰドライバとしてのＸドライバ、３ｃｘｂは、給電端２５ｘｂ側からＸ電極導体２１ｘ１''〜２１ｘｎ''を駆動するＰＤＰドライバとしてのＸドライバ、３ｃｙａは、給電端２５ｙａ側からＹ電極導体２１ｙ１''〜２１ｙｎ''を駆動するＰＤＰドライバとしてのＹドライバ、３ｃｙｂは、給電端２５ｙｂ側からＹ電極導体２１ｙ１''〜２１ｙｎ''を駆動するＰＤＰドライバとしてのＹドライバ、３ｄは、サブフィールドデータを発生し、Ｘドライバ、Ｙドライバに供給するタイミング発生部である。Ｘ電極導体２１ｘ１''〜２１ｘｎ''及びＹ電極導体２１ｙ１''〜２１ｙｎ''は例えば、上記図４に示すように、１本の導体中においてもまた複数の導体間においても、導体幅が一様で断面積が略一定の構成であるとする。
【００３５】
上記図５の構成において、Ｘ電極導体２１ｘ１''〜２１ｘｎ''に、Ｘドライバ３ｃｘａ、３ｃｘｂにより、両側の給電端２５ｘａ、２５ｘｂから、映像に対応した駆動信号が入力され、Ｙ電極導体２１ｙ１''〜２１ｙｎ''に、Ｘドライバ３ｃｙａ、３ｃｙｂにより、両側の給電端２５ｙａ、２５ｙｂから、映像に対応した駆動信号が入力されると、両電極導体の交点位置の対向電極間に形成された表示用のセルのうち、アドレスされたセルが放電によって発光され、上記映像信号に対応した映像表示が行われる。このとき、給電端から該発光するセルまでの距離は、Ｘ電極導体２１ｘ１''〜２１ｘｎ''では給電端２５ｘａまたは２５ｘｂのいずれかから該セルまでの距離であるため、給電端２５ｘａ、２５ｘｂ間の距離の半分以下となり、同様に、Ｙ電極導体２１ｙ１''〜２１ｙｎ''では給電端２５ｙａまたは２５ｙｂのいずれかから該セルまでの距離であるため、給電端２５ｙａ、２５ｙｂ間の距離の半分以下となる。このため、駆動信号が入力されたとき、発光するセルの位置におけるＸ電極導体、Ｙ電極導体それぞれの電圧降下が低減されるとともに、該発光セルの相互間で該電圧降下の差も縮減される。電圧降下の差が縮減されることで、各セル間の駆動電圧差が縮減され、輝度むらの発生や増大が抑えられ、動作マージンの低下も抑えられる。
【００３６】
上記第４の実施例によっても、電極導体の電圧降下による輝度むらの増大や動作マージンの低下を抑えることができ、装置の省電力化と併せ、安定動作と映像画質の確保が可能となる。
【００３７】
なお、上記第４の実施例の説明では、Ｘ電極導体２１ｘ１''〜２１ｘｎ''及びＹ電極導体２１ｙ１''〜２１ｙｎ''を、例えば、上記図４に示すような構成であるとしたが、本発明はこれには限定されず、この他、Ｘ電極導体及びＹ電極導体は、例えば、図３に示すような導体構成であってもよいし、また、１本の導体中においてその長さ方向の両端側から中央部に向けて次第に導体断面積が増大する導体構成などであってもよい。また、上記のようなＸ電極導体及びＹ電極導体の両側の給電端に、図４のような作用をする抵抗体を接続し、該抵抗体を介して該両給電端から該電極導体に駆動信号を入力する構成としてもよい。
【００３８】
また、上記各実施例では、映像表示装置としてプラズマディスプレイ装置、映像表示用パネルとしてプラズマディスプレイパネルの場合につき説明したが、本発明はこれに限定されず、他の方式・種別の映像表示装置や映像表示用パネルであってもよい。
【図面の簡単な説明】
【００３９】
【図１】本発明の第１の実施例としての映像表示装置の構成例図である。
【図２】図１の装置に用いる映像表示用パネルの構成例図である。
【図３】本発明の第２の実施例の説明図である。
【図４】本発明の第３の実施例の説明図である。
【図５】本発明の第４の実施例の説明図である。
【図６】対向型電極間に形成されるセルとその等価回路の説明図である。
【図７】電極導体による電圧降下の説明図である。
【図８】セル位置と電極導体による電圧降下の関係を示す図である。
【符号の説明】
【００４０】
１…プラズマディスプレイ装置、
２…プラズマディスプレイパネル、
３…駆動回路、
３ａ…データ処理回路、
３ｂ…サブフィールドメモリ、
３ｃ…ＰＤＰドライバ、
３ｃｘａ、３ｃｘｂ…Ｘドライバ、
３ｃｙａ、３ｃｙｂ…Ｙドライバ、
３ｄ…タイミング発生部、
４…フィールドメモリ、
５…ＣＰＵ、
６…データメモリ、
７…入力端子、
２１ｘ１〜２１ｘ８、２１ｘ１'〜２１ｘ８'、２１ｘ１''〜２１ｘ８''…Ｘ電極導体、
２１ｙ１〜２１ｙ８、２１ｙ１'〜２１ｙ８'、２１ｙ１''〜２１ｙ８''…Ｙ電極導体、
２２…前面板、
２３…背面板、
２５ｘ１〜２５ｘ８、２５ｙ１〜２５ｙ８、２５ｘａ、２５ｘｂ、２５ｙａ、２５ｙｂ…給電端。
【図１】
2006201495.tif 000003
【図２】
2006201495.tif 000004
【図３】
2006201495.tif 000005
【図４】
2006201495.tif 000006
【図５】
2006201495.tif 000007
【図６】
2006201495.tif 000008
【図７】
2006201495.tif 000009
【図８】
2006201495.tif 000010